【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
撮像装置に対して着脱可能なアクセサリ装置であって、
前記撮像装置との間に、前記撮像装置から前記アクセサリ装置への通知に用いられる通知チャネルと、前記アクセサリ装置から前記撮像装置へのデータ送信に用いられるアクセサリデータ通信チャネルと、前記撮像装置から前記アクセサリ装置へのデータ送信に用いられる撮像装置データ通信チャネルとを設けるアクセサリ通信部、及び前記アクセサリ通信部の制御を行うアクセサリ制御部を有し、
前記アクセサリ制御部は、前記アクセサリ装置から前記撮像装置へのデータ送信を要求する送信要求信号を前記通知チャネルを介して受信することに応じて、前記アクセサリデータ通信チャネルを介して前記撮像装置に対して第１データを送信し、前記撮像装置が該第１データの受信開始に応じて送信した第２データを、前記撮像装置データ通信チャネルを介して受信することを特徴とするアクセサリ装置。
【請求項２】
前記第１データを送信する期間と前記第２データを受信する期間は一部が重複することを特徴とする請求項１に記載のアクセサリ装置。
【請求項３】
前記アクセサリ制御部は、前記第１データに含まれるスタートビットを送信した後に前記第２データの受信を開始することを特徴とする請求項１又は２に記載のアクセサリ装置。
【請求項４】
前記送信要求信号は、前記通知チャネルの電圧レベルを変更することにより表されることを特徴とする請求項１乃至３のいずれか１項に記載のアクセサリ装置。
【請求項５】
前記アクセサリ制御部は、前記通知チャネルの電圧レベルが変化してから所定時間内に前記第１データを送信することを特徴とする請求項４に記載のアクセサリ装置。
【請求項６】
前記送信要求信号は、前記通知チャネルの電圧レベルを第１レベルから前記第１レベルとは異なる第２レベルに変更することによって表され、
前記アクセサリ制御部は、前記第１データを送信した後に前記通知チャネルの電圧レベルが前記第２レベルであった場合に、前記アクセサリデータ通信チャネルを介して前記撮像装置に第３データを送信することを特徴とする請求項４又は５に記載のアクセサリ装置。
【請求項７】
前記アクセサリ装置は、通信待機期間を設けることなくデータを連続的に送信するデータフォーマットと、前記通信待機期間を設けてデータを間欠的に送信するデータフォーマットを切り替えて前記撮像装置と通信を行うことを特徴とする請求項１乃至６のいずれか１項に記載のアクセサリ装置。
【請求項８】
前記撮像装置との間で行う通信のフォーマットが、前記通信待機期間を設けてデータを間欠的に送信するデータフォーマットの場合、前記通信待機期間前に前記アクセサリ制御部が前記撮像装置に送信したデータの数と前記アクセサリ制御部が前記撮像装置から受信したデータの数は同数であることを特徴とする請求項７に記載のアクセサリ装置。
【請求項９】
前記送信要求信号は、前記通知チャネルの電圧レベルを第１レベルから前記第１レベルとは異なる第２レベルに変更することによって表され、
前記通信待機期間は、前記通知チャネルの電圧レベルが前記第１レベルであることによって表されることを特徴とする請求項７又は８に記載のアクセサリ装置。
【請求項１０】
前記アクセサリ制御部は、前記アクセサリ装置において通信待機要求イベントが生じている間は前記撮像装置に対するデータの送信を休止することを特徴とする請求項７乃至９のいずれか１項に記載のアクセサリ装置。
【請求項１１】
前記撮像装置と調歩同期式の通信を行うことを特徴とする請求項１乃至１０のいずれか１項に記載のアクセサリ装置。
【請求項１２】
前記アクセサリ装置は、クロック信号と同期したクロック同期式の通信方式と、調歩同期式の通信方式の間で通信方式を切り替えて前記撮像装置と通信可能であり、
前記アクセサリ制御部は、前記クロック同期式の通信において、前記通知チャネルを介して前記撮像装置から送信される前記クロック信号を受信し、前記調歩同期式の通信において、前記通知チャネルを介して前記送信要求信号を受信することを特徴とする請求項１乃至１１のいずれか１項に記載のアクセサリ装置。
【請求項１３】
前記撮像装置が有する撮像素子に対して被写体像を形成可能な撮影光学系を有することを特徴とする請求項１乃至１２のいずれか１項に記載のアクセサリ装置。
【請求項１４】
アクセサリ装置が取り外し可能に装着される撮像装置であって、
前記アクセサリ装置との間に、前記撮像装置から前記アクセサリ装置への通知に用いられる通知チャネルと、前記アクセサリ装置から前記撮像装置へのデータ送信に用いられるアクセサリデータ通信チャネルと、前記撮像装置から前記アクセサリ装置へのデータ送信に用いられる撮像装置データ通信チャネルとを設ける撮像装置通信部、及び前記撮像装置通信部の制御を行う撮像装置制御部を有し、
前記撮像装置制御部は、前記アクセサリ装置から前記撮像装置へのデータ送信を要求する送信要求信号を前記通知チャネルを介して送信し、該送信要求信号に応じて前記アクセサリ装置から送信された第１データの受信開始に応じて、前記撮像装置データ通信チャネルを介して前記アクセサリ装置に第２データを送信することを特徴とする撮像装置。
【請求項１５】
前記第１データを受信する期間と前記第２データを送信する期間は一部が重複することを特徴とする請求項１４に記載の撮像装置。
【請求項１６】
前記撮像装置制御部は、前記第１データに含まれるスタートビットを受信することに応じて、前記第２データの送信を開始することを特徴とする請求項１４又は１５に記載の撮像装置。
【請求項１７】
前記撮像装置制御部は、前記通知チャネルの電圧レベルを変更することにより前記送信要求信号を前記アクセサリ装置に送信することを特徴とする請求項１４乃至１６のいずれか１項に記載の撮像装置。
【請求項１８】
前記撮像装置制御部は、前記通知チャネルの電圧レベルを第１レベルから前記第１レベルとは異なる第２レベルに変更することによって前記送信要求信号を送信し、
前記撮像装置制御部は、前記第１データの受信中および受信後に前記通知チャネルの電圧レベルを前記第２レベルに維持することによって、前記アクセサリデータ通信チャネルを介して前記アクセサリ装置から第３データを受信することを特徴とする請求項１７に記載の撮像装置。
【請求項１９】
前記撮像装置は、通信待機期間を設けることなくデータを連続的に送信するデータフォーマットと、前記通信待機期間を設けてデータを間欠的に送信するデータフォーマットを切り替えて前記アクセサリ装置と通信を行うことを特徴とする請求項１４乃至１８のいずれか１項に記載の撮像装置。
【請求項２０】
前記アクセサリ装置との間で行う通信のフォーマットが、前記通信待機期間を設けてデータを間欠的に送信するデータフォーマットの場合、前記通信待機期間前に前記撮像装置制御部が前記アクセサリ装置に送信したデータの数と前記撮像装置制御部が前記アクセサリ装置から受信したデータの数は同数であることを特徴とする請求項１９に記載の撮像装置。
【請求項２１】
前記撮像装置制御部は、前記通知チャネルの電圧レベルを第１レベルから前記第１レベルとは異なる第２レベルに変更することによって前記送信要求信号を送信し、
前記撮像装置制御部は、前記通知チャネルの電圧レベルを前記第１レベルにすることによって前記通信待機期間を前記アクセサリ装置に通知することを特徴とする請求項１９又は２０に記載の撮像装置。
【請求項２２】
前記撮像装置制御部は、前記アクセサリ装置と調歩同期式の通信を行うことを特徴とする請求項１４乃至２１のいずれか１項に記載の撮像装置。
【請求項２３】
前記撮像装置は、クロック信号と同期したクロック同期式の通信方式と、調歩同期式の通信方式の間で通信方式を切り替えて前記アクセサリ装置と通信可能であり、
前記撮像装置制御部は、前記クロック同期式の通信において、前記通知チャネルを介して前記クロック信号を前記アクセサリ装置に送信し、前記調歩同期式の通信において、前記通知チャネルを介して前記送信要求信号を前記アクセサリ装置に送信することを特徴とする請求項１４乃至２２のいずれか１項に記載の撮像装置。
【請求項２４】
撮像装置に対して着脱可なアクセサリ装置であって、前記撮像装置との間に、前記撮像装置から前記アクセサリ装置への通知に用いられる通知チャネルと、前記アクセサリ装置から前記撮像装置へのデータ送信に用いられるアクセサリデータ通信チャネルと、前記撮像装置から前記アクセサリ装置へのデータ送信に用いられる撮像装置データ通信チャネルとを設けるアクセサリ装置のコンピュータに、
前記アクセサリ装置から前記撮像装置へのデータ送信を要求する送信要求信号を、前記通知チャネルを介して前記撮像装置から受信することに応じて、前記アクセサリデータ通信チャネルを介して前記撮像装置に対して第１データを送信するステップと、
前記撮像装置が該第１データの受信開始に応じて送信した第２データを、前記撮像装置データ通信チャネルを介して受信するステップとを実行させることを特徴とする通信制御プログラム。
【請求項２５】
アクセサリ装置が取り外し可能に装着される撮像装置であって、前記アクセサリ装置との間に、前記撮像装置から前記アクセサリ装置への通知に用いられる通知チャネルと、前記アクセサリ装置から前記撮像装置へのデータ送信に用いられるアクセサリデータ通信チャネルと、前記撮像装置から前記アクセサリ装置へのデータ送信に用いられる撮像装置データ通信チャネルとを設ける撮像装置のコンピュータに、
前記アクセサリ装置から前記撮像装置へのデータ送信を要求する送信要求信号を、前記通知チャネルを介して前記アクセサリ装置に送信するステップと、
該送信要求信号に応じて前記アクセサリ装置から送信された第１データの受信開始に応じて、前記撮像装置データ通信チャネルを介して前記アクセサリ装置に第２データを送信するステップと、を実行させることを特徴とする通信制御プログラム。
【請求項２６】
撮像装置と、該撮像装置に対して着脱可能なアクセサリ装置を含む撮像システムであって、
前記アクセサリ装置は、前記撮像装置との間に、前記撮像装置から前記アクセサリ装置への通知に用いられる通知チャネルと、前記アクセサリ装置から前記撮像装置へのデータ送信に用いられるアクセサリデータ通信チャネルと、前記撮像装置から前記アクセサリ装置へのデータ送信に用いられる撮像装置データ通信チャネルとを設けるアクセサリ通信部、及び前記アクセサリ通信部の制御を行うアクセサリ制御部とを有し、
前記撮像装置は、前記アクセサリ装置との間に、前記通知チャネルと、前記アクセサリデータ通信チャネルと、前記撮像装置データ通信チャネルとを設ける撮像装置通信部、及び前記撮像装置通信部の制御を行う撮像装置制御部とを有し、
前記撮像装置制御部は、前記アクセサリ装置から前記撮像装置へのデータ送信を要求する送信要求信号を、前記通知チャネルを介して前記アクセサリ装置に送信し、
前記アクセサリ制御部は、前記送信要求信号を受信することに応じて、前記アクセサリデータ通信チャネルを介して前記撮像装置に対して第１データを送信し、
前記撮像装置制御部は、前記第１データの受信開始に応じて、前記撮像装置データ通信チャネルを介して前記アクセサリ装置に第２データを送信することを特徴とする撮像システム。
【手続補正２】
【補正対象書類名】明細書
【補正対象項目名】０００９
【補正方法】変更
【補正の内容】
【０００９】
本発明は、通信の破綻を招くことなくデータの送受信を高速に行うことができるアクセサリ装置及び撮像装置を実現することを目的とする。
【手続補正３】
【補正対象書類名】明細書
【補正対象項目名】００１０
【補正方法】変更
【補正の内容】
【００１０】
本発明のアクセサリ装置は、撮像装置に対して着脱可能なアクセサリ装置であって、
前記撮像装置との間に、前記撮像装置から前記アクセサリ装置への通知に用いられる通知チャネルと、前記アクセサリ装置から前記撮像装置へのデータ送信に用いられるアクセサリデータ通信チャネルと、前記撮像装置から前記アクセサリ装置へのデータ送信に用いられる撮像装置データ通信チャネルとを設けるアクセサリ通信部、及び前記アクセサリ通信部の制御を行うアクセサリ制御部を有し、
前記アクセサリ制御部は、前記アクセサリ装置から前記撮像装置へのデータ送信を要求する送信要求信号を前記通知チャネルを介して受信することに応じて、前記アクセサリデータ通信チャネルを介して前記撮像装置に対して第１データを送信し、前記撮像装置が該第１データの受信開始に応じて送信した第２データを、前記撮像装置データ通信チャネルを介して受信することを特徴とする。
【手続補正４】
【補正対象書類名】明細書
【補正対象項目名】００１１
【補正方法】変更
【補正の内容】
【００１１】
また、本発明の撮像装置は、アクセサリ装置が取り外し可能に装着される撮像装置であって、前記アクセサリ装置との間に、前記撮像装置から前記アクセサリ装置への通知に用いられる通知チャネルと、前記アクセサリ装置から前記撮像装置へのデータ送信に用いられるアクセサリデータ通信チャネルと、前記撮像装置から前記アクセサリ装置へのデータ送信に用いられる撮像装置データ通信チャネルとを設ける撮像装置通信部、及び前記撮像装置通信部の制御を行う撮像装置制御部を有し、
前記撮像装置制御部は、前記アクセサリ装置から前記撮像装置へのデータ送信を要求する送信要求信号を前記通知チャネルを介して送信し、該送信要求信号に応じて前記アクセサリ装置から送信された第１データの受信開始に応じて、前記撮像装置データ通信チャネルを介して前記アクセサリ装置に第２データを送信することを特徴とする。
【手続補正５】
【補正対象書類名】明細書
【補正対象項目名】００１２
【補正方法】変更
【補正の内容】
【００１２】
本発明によれば、通信の破綻を招くことなくデータの送受信を高速に行うことができるアクセサリ装置及び撮像装置が得られる。
【手続補正６】
【補正対象書類名】明細書
【補正対象項目名】００３６
【補正方法】変更
【補正の内容】
【００３６】
上記３つのチャネルのうちの１つは、通信方式Ａではクロックチャネルとなり、通信方式Ｂでは送信要求チャネルとなる通知チャネルである。他の２つのチャネルのうち１つは、レンズマイコン１１１からカメラマイコン２０５へのレンズデータ送信に用いられる第１のデータ通信チャネル（アクセサリデータ通信チャネル）である。もう１つのチャネルは、カメラマイコン２０５からレンズマイコン１１１へのカメラデータ送信に用いられる第２のデータ通信チャネル（撮像装置データ通信チャネル）である。
【手続補正７】
【補正対象書類名】明細書
【補正対象項目名】００６９
【補正方法】変更
【補正の内容】
【００６９】
レンズマイコン１１１は、送信要求信号ＲＴＳの電圧レベルがＬｏｗに変化したことにより通信要求を検出すると、カメラマイコン２０５に送信するレンズデータ信号ＤＬＣの生成処理を行う。そして、該レンズデータ信号ＤＬＣの送信準備が整うと、第１のデータ通信チャネルを介して１フレームのレンズデータ信号ＤＬＣの送信を開始する。ここで、レンズマイコン１１１は、送信要求信号ＲＴＳの電圧レベルがＬｏｗとなった時点から、カメラマイコン２０５とレンズマイコン１１１との間で相互に設定した設定時間内にレンズデータ信号ＤＬＣの送信を開始する。
【手続補正８】
【補正対象書類名】明細書
【補正対象項目名】００７０
【補正方法】変更
【補正の内容】
【００７０】
すなわち、通信方式Ｂでは、送信要求信号ＲＴＳの電圧レベルがＬｏｗとなった時点からレンズデータ信号ＤＬＣの送信が開始されるまでの間に、送信するレンズデータを確定させればよい。通信方式Ａのように、最初のクロックパルスが入力される時点までに送信するレンズデータを確定させておく必要があるといった厳しい制約がないため、レンズデータ信号ＤＬＣの送信を開始するタイミングに自由度を持たせることができる。
【手続補正９】
【補正対象書類名】明細書
【補正対象項目名】００７４
【補正方法】変更
【補正の内容】
【００７４】
このように、本実施例では、カメラマイコン２０５での通信開始イベントがトリガとなって送信要求信号ＲＴＳがアサートされたことに応じて、レンズマイコン１１１がカメラマイコン２０５にレンズデータ信号ＤＬＣのデータフレーム（第１データ）の送信を開始する。そして、カメラマイコン２０５は、レンズデータ信号ＤＬＣのスタートビットＳＴを検出することに応じて、カメラデータ信号ＤＣＬのデータフレーム（第２データ）のレンズマイコン１１１への送信を開始する。
【手続補正１０】
【補正対象書類名】明細書
【補正対象項目名】００８３
【補正方法】変更
【補正の内容】
【００８３】
図５（Ｃ）には、図５（Ｂ）で示した連続データ送受信の通信中にカメラマイコン２０５から又はレンズマイコン１１１から一時的な通信待機が指示された場合の通信信号の波形を示している。ここでも、カメラマイコン２０５から送信要求信号ＲＴＳがアサートされることでレンズマイコン１１１がレンズデータ信号ＤＬＣの送信を開始し、そのスタートビットＳＴの検出に応じてカメラマイコン２０５がカメラデータ信号ＤＣＬの送信を開始する。
【手続補正１１】
【補正対象書類名】明細書
【補正対象項目名】００９９
【補正方法】変更
【補正の内容】
【００９９】
カメラマイコン２０５は、レンズマイコン１１１との通信を開始する通信イベントが発生したか否かを監視しており、ステップＳ１１０において通信イベントが発生したときにステップＳ１１１に進む。ステップＳ１１１では、これまでに説明したように、送信要求信号ＲＴＳをアサートすることで、レンズマイコン１１１に対して通信要求を行う。
【手続補正１２】
【補正対象書類名】明細書
【補正対象項目名】０１００
【補正方法】変更
【補正の内容】
【０１００】
レンズマイコン１１１は、送信要求信号ＲＴＳがアサートされたか否かを監視しており、ステップＳ２１０において送信要求信号ＲＴＳがアサートされたことを認識するとステップＳ２１１に進む。ステップＳ２１１において、レンズマイコン１１１は、第１のデータ通信チャネルを介してレンズデータ信号ＤＬＣをカメラマイコン２０５に送信する。
【手続補正１３】
【補正対象書類名】明細書
【補正対象項目名】０１０１
【補正方法】変更
【補正の内容】
【０１０１】
カメラマイコン２０５は、レンズマイコン１１１からレンズデータ信号ＤＬＣを受信すると（ステップＳ１１２のＹＥＳ）、ステップＳ１１３に進み、送信要求信号ＲＴＳをネゲートする。そして、ステップＳ１１４に進み、第２のデータ通信チャネルを介してカメラデータ信号ＤＣＬをレンズマイコン１１１に送信する。
【手続補正１４】
【補正対象書類名】明細書
【補正対象項目名】０１０３
【補正方法】変更
【補正の内容】
【０１０３】
一方、レンズマイコン１１１からカメラマイコン２０５に対して通信待機要求ＢＵＳＹを通知する必要があるときは、ステップＳ２１５に進み、レンズデータ信号ＤＬＣにＢＵＳＹフレームを付加する。レンズマイコン１１１は、通信待機要求ＢＵＳＹを通知している間に必要な処理を実行し、次の通信準備が整った後に（ステップＳ２１６のＹｅｓ）、通信待機要求ＢＵＳＹを解除する（ステップＳ２１７）。通信待機要求ＢＵＳＹを解除した後は、ステップＳ２１８に進み、カメラデータ信号ＤＣＬの受信が完了するまで待機する。カメラデータ信号ＤＣＬの受信が完了すると（ステップＳ２１８のＹｅｓ）、ステップＳ２１０に戻り、送信要求信号ＲＴＳがアサートされたか否かの監視を継続する。